(57)【要約】【課題】コンテナの換気機能を維持しつつ、コンテナ縦壁に開閉レバーを設けることによる誤操作等による換気孔開度の不用意な変更を防ぐ。【解決手段】通気路１１の一端部をコンテナ６の縦壁２の外側に、外側通気孔７として開口する。一方、通気路１１の他端部を箱体１０の上側面１２に沿って、同一形状の穴を一定間隔で複数並べて開口し、内側通気孔を形成する。内側通気孔と同一形状かつ同一間隔の複数の穴を形成した蓋１５を、箱体１０の上側面１２に対しスライド可能に設けることで、蓋１５がコンテナ６の内部に隠される。したがって、誤操作や悪戯等によって、コンテナ外部から蓋１５が操作され、換気孔開度が不用意に変更される危険性をなくすことができる。【選択図】      図２
2004256156.tif 000002
【特許請求の範囲】
【請求項１】
コンテナの縦壁を内側から補強するチャンネル部材を避けて、当該縦壁の内側に箱体を固定して当該箱体の内部に通気路を形成し、当該通気路の一端部をコンテナ縦壁の外側に開口する一方、当該通気路の他端部を前記箱体の側面に沿って、同一形状の穴を一定間隔で複数並べて開口し、
当該通気路の他端部の開口と同一形状かつ同一間隔の複数の穴を形成した蓋を、前記箱体の側面に対しスライド可能に設けると共に、当該蓋の穴と前記箱体の側面の穴との位相を任意の状態に固定し、かつ、当該蓋を前記箱体の側面に密着させる固定手段を、前記蓋に設けたことを特徴とするコンテナ。
【請求項２】
前記固定手段は、前記蓋に設けられ前記蓋と共に前記箱体の側面に対しスライドする取手と、当該取手の押引き操作によって前記箱体の側面に対する前記蓋の密着力を調整する付勢手段とを備えることを特徴とする請求項１記載のコンテナ。
【発明の詳細な説明】
【０００１】
【発明の属する技術分野】
本発明は、内部換気を可能としたコンテナに関するものである。
【０００２】
【従来の技術】
従来から、コンテナに収納する貨物の種類に応じ、内部換気の有無を選択することを可能とするために、換気孔開閉装置を備えるコンテナが用いられている。
ところで、従来の換気孔開閉装置を備えるコンテナは、換気孔開閉装置の構造が、コンテナをトラック、鉄道貨車等の輸送手段に搭載した状態における換気孔の操作性を考慮したものとなっていた。具体的には、図５に示すように、コンテナ１の縦壁２（図示の例では扉）の外側に通風孔の蓋３を設け、かつ、蓋３を開閉するための操作レバー４を、縦壁２の比較的下方に設けることで、輸送手段に搭載した状態で、作業者が容易に操作レバー４を操作できるようにしていた。また、複数箇所に通風孔を設ける場合には、各通風孔の蓋３と操作レバー４とをリンク５によって結合し、１つの操作レバーの操作によって、複数の蓋を開閉することができるような工夫がなされていた（例えば、特許文献１参照。）。
【０００３】
【特許文献１】
実公平４−３０１５２号公報（第２頁、第１図）
【０００４】
【発明が解決しようとする課題】
しかしながら、従来の換気孔開閉装置を備えるコンテナは、次のような欠点を有していた。まず、コンテナに収納する貨物が通風を要するものである場合でも、通常は、当該貨物に適した条件で、出発地において通風孔の開度を決め、到着地までその開度を維持すれば良い。このため、実際には換気孔開閉装置の操作は、コンテナの出発地から到着地に至るまでの間に行うことは稀であった。すなわち、コンテナの輸送中は、コンテナ縦壁に突出する操作レバー４、リンク５等は無用の突起物となっていた。また、コンテナ縦壁の操作し易い場所に開閉レバーを設けていることが災いし、誤操作や悪戯による蓋の開閉操作がなされ、コンテナ内の貨物に悪影響を及ぼすおそれもあった。
【０００５】
さらに、コンテナの外寸法は規格によって制限されているが、コンテナ縦壁に設けられた開閉レバーやリンク機構がこの規格寸法から飛出すことを防ぐために、コンテナ１の縦壁２の位置を比較的中心部寄りに置く必要があり、コンテナ容積の拡大を困難にしていた。加えて、コンテナの縦壁２に設けられた開閉レバー４やリンク５は、コンテナの外観を煩雑に見せる原因ともなっていた。
本発明は上記課題に鑑みてなされたものであり、その目的とするところは、コンテナの換気機能を維持しつつ、コンテナ縦壁の外側に開閉レバーを設けることに起因する、換気孔開度の不用意な変更を防ぐことにある。また、コンテナ縦壁を可能な限り規格寸法にまで近付け、コンテナ容量のさらなる拡大を可能とすることにある。また、コンテナの外観を簡素化して、コンテナの美観を高めることにある。
【０００６】
【課題を解決するための手段】
上記課題を解決するための、本発明の請求項１に係るコンテナは、コンテナの縦壁を内側から補強するチャンネル部材を避けて、当該縦壁の内側に箱体を固定して当該箱体の内部に通気路を形成し、当該通気路の一端部をコンテナ縦壁の外側に開口する一方、当該通気路の他端部を前記箱体の側面に沿って、同一形状の穴を一定間隔で複数並べて開口し、当該通気路の他端部の開口と同一形状かつ同一間隔の複数の穴を形成した蓋を、前記箱体の側面に対しスライド可能に設けると共に、当該蓋の穴と前記箱体の側面の穴との位相を任意の状態に固定し、かつ、当該蓋を前記箱体の側面に密着させる固定手段を、前記蓋に設けたことを特徴とするものである。
【０００７】
本発明によれば、コンテナの縦壁を内側から補強するチャンネル部材を避けて、当該縦壁の内側に箱体を固定して通気路を形成することで、当該通気路を設けることによる縦壁の内側への張り出し量が抑えられる。そして、当該通気路の一端部をコンテナ縦壁の外側に開口する一方、当該通気路の他端部を前記箱体の側面に沿って、同一形状の穴を一定間隔で複数並べて開口し、当該通気路の他端部の開口と同一形状かつ同一間隔の複数の穴を形成した蓋を、前記箱体の側面に対しスライド可能に設けることで、当該蓋がコンテナ内部に隠される。しかも、前記箱体の側面に沿って設けた複数の穴と、前記蓋に設けた複数の穴との位相を変化させることで、前記通気路の通気量を任意に調整することが可能となる。
さらに、当該蓋の穴と前記箱体の側面の穴との位相を任意の状態に固定し、かつ、当該蓋を前記箱体の側面に密着させる固定手段を、前記蓋に設けたことで、蓋のスライド操作を容易としつつ、一度決定した通気量が不用意に変化することを防ぐことができる。また、通気が不要な場合には、前記箱体の側面に沿って設けた複数の穴と、前記蓋に設けた複数の穴との位相を完全にずらした状態で、前記蓋を前記箱体の側面に密着させることにより、密閉性を高めることが可能となる。
【０００８】
また、本発明の請求項２に係るコンテナは、請求項１記載のコンテナにおいて、前記固定手段は、前記蓋に設けられ前記蓋と共に前記箱体の側面に対しスライドする取手と、当該取手の押引き操作によって前記箱体の側面に対する前記蓋の密着力を調整する付勢手段とを備えるものである。
本発明によれば、蓋のスライド操作を前記取手によって行い、所定の開度での蓋の固定を、前記付勢手段により発生する、前記箱体の側面に対する前記蓋の密着力を調整することによって、行うことが可能となる。
【０００９】
【発明の実施の形態】
以下、本発明の実施の形態を添付図面に基づいて説明する。なお、従来技術と同一部分若しくは相当する部分については、同一符号を付して、説明を省略する。
【００１０】
図１には、本発明の実施の形態に係るコンテナ６を示している。また、図２（ａ）には、コンテナ６の外側通気孔７の周辺部をコンテナ内側から見た状態を、図２（ｂ）には、図２（ａ）のＡ−Ａ線における断面図を、図３には、図２（ａ）のＢ−Ｂ線における断面図を、各々示している。
【００１１】
コンテナの縦壁２（図示の例では扉であるが、固定壁であっても良い。）は、外板８を内側から複数のチャンネル部材９で補強することにより、必要な強度を確保する構造を有している。縦壁２の内側には、これらのチャンネル部材９を避けて箱体１０を固定し、箱体１０の内部に通気路１１を形成している。通気路１１の下端部は、縦壁２の外側に開口して、外側通気孔７を構成している。一方、通気路１１の上端部は、箱体１０の上側面１２に沿って開口し、図３に示すように、同一形状の穴を一定間隔で複数並べて開口し、内側通気孔１３を構成している。さらに、通気路１１には、複数のルーバー１４を設けることで、外側通気孔７からの雨水等の進入を防いでいる。
なお、図１の例では、外側通気孔７は、縦壁２の上下左右四箇所に設けられている。よって、図２に示す箱体１０およびそれによって形成される通気路１１も、縦壁２の上下左右四箇所に設けられている。また、必要に応じて、外側通気孔７を通気路１１の上端部に、内側通気孔１３を通気路１１の下端部に配置することも可能である。
【００１２】
また、通気路１１の内側通気孔１３と同一形状かつ同一間隔の複数の穴１６を形成した蓋１５を、箱体１０の上側面１２の裏面にスライド可能に設けると共に、蓋１５の穴１６と箱体の側面の穴すなわち内側通気孔１３との位相を任意の状態に固定し、かつ、蓋１５を箱体１０の上側面１２の内側に密着させる固定手段１７を、蓋１５に設けている。
図４には、固定手段１７の周辺部を拡大して示しており、（ａ）はその平面図、（ｂ）は（ａ）のＣ−Ｃ線における断面図、（ｃ）は（ａ）のＤ−Ｄ線における断面図を示している。蓋１５には、取手１８が設けられている。取手１８は、箱体１０の上側面１２に形成した長穴１９と、蓋１５に形成した丸穴２０を摺動可能に貫通するネジ軸２１を有している。また、ネジ軸２１にはコイルバネ２２（付勢手段）を挿入し、ナット２３でコイルバネ２２を押し縮めることにより発生する弾発力を利用して、蓋１５を箱体１０の上側面１２の裏面に密着させ、かつ、取手１８を上側面１２の表面に密着させている。
【００１３】
そして、作業者が取手１８を持上げて（コイルバネ２２はさらに縮む。）、取手１８を長穴１９に沿って移動させることにより、蓋１５を箱体１０の上側面１２に対しスライドさせることが可能となる。また、ナット２３の捩じ込み量を変えることによって、蓋１５と箱体１０の上側面１２との密着力を調節することが可能である。
なお、図４（ａ）には、箱体１０の上側面１２に沿って設けた複数の内側通気孔１３と、蓋に設けた複数の穴１６との位相を完全にずらした状態を示しているが、蓋１５を箱体１０の上側面１２に対しスライドさせることにより、箱体１０の内側通気孔１３と蓋の穴１６との位相が完全に一致する状態とすることも可能である。図４（ａ）、（ｂ）の符号Ｘは、取手１８および蓋１５のスライドストロークを示している。
【００１４】
上記構成をなす本発明の実施の形態により得られる作用効果をまとめると、以下のようになる。まず、コンテナ６の縦壁２の内側に突出するチャンネル部材９を避けて、縦壁２の内側に箱体１０を固定して当該箱体の内部に通気路１１を形成することで、箱体１０は、縦壁２の厚みの少ない部分に位置することとなり、通気路１１を設けることによる縦壁２の内側への張り出し量を抑えることができる。よって、コンテナ６の容積の減少を可能な限り防ぐことが可能となる。また、縦壁２に通気路１１、外側通気孔７および内側通気孔１３を形成するにあたり、強度部材であるチャンネル部材９を分断することもないので、縦壁２の強度が低下することもない。
【００１５】
そして、通気路１１の一端部をコンテナ６の縦壁２の外側に、外側通気孔７として開口する一方、通気路１１の他端部を箱体１０の側面（上側面１２）に沿って、同一形状の穴を一定間隔で複数並べて開口した内側通気孔１３を形成し、通気路１１の他端部の開口と同一形状かつ同一間隔の複数の穴１６を形成した蓋１５を、箱体１０の上側面１２に対しスライド可能に設けることで、蓋１５がコンテナ６の内部に隠される。したがって、誤操作や悪戯等によって、コンテナ外部から蓋１５が操作され、換気孔開度が不用意に変更される危険性をなくすことができる。
しかも、箱体１０の上側面１２に沿って設けた複数の穴１３と、蓋１５に設けた複数の穴１６との位相を変化させることで、通気路１１の通気量を任意に調整することが可能となる。
【００１６】
さらに、蓋１５の穴１６と箱体１０の上側面１２の穴１３との位相を任意の状態に固定し、かつ、蓋１５を箱体１０の上側面の裏面に密着させる固定手段１７を、蓋１５に設けたことで、蓋のスライド操作を容易としつつ、一度決定した通気量が不用意に変化することを防ぐことができる。また、通気が不要な場合には、箱体１０の上側面１２に沿って設けた複数の穴１３と、蓋１５に設けた複数の穴１６との位相を、図４（ａ）に示すように完全にずらした状態で、蓋１５を箱体１０の上側面１２の裏面に密着させることにより、密閉性を高めることが可能となる。
【００１７】
また、蓋１５に設けられ蓋１５と共に箱体１０の上側面１２の裏面に対しスライドする取手１８と、取手１８の押引き操作によって箱体１０の上側面１２の裏面に対する蓋１５の密着力を調整する付勢手段２２とを備えることにより、蓋１５のスライド操作を取手１５によって行い、所定の開度での蓋１５の固定を、付勢手段２２により発生する、箱体１０の上側面１２の裏面に対する蓋１５の密着力を調整することによって行うことが可能となる。
【００１８】
なお、蓋１５を箱体１０の上側面１２の表面に対しスライド可能に設けることも可能である。この場合は、コイルバネ２２を取手１８と蓋１５との間に配置し、ナット２３が箱体１０の上側面１２の裏面と密着する構造とする。そして、取手１８を押し込むことにより、蓋１５をスライドさせることが可能となる。
【００１９】
【発明の効果】
本発明はこのように構成したので、コンテナの換気機能を維持しつつ、コンテナ縦壁の外側に開閉レバーを設けることに起因する、換気孔開度の不用意な変更を防ぐことが可能となる。また、コンテナ縦壁を可能な限り規格寸法にまで近付け、コンテナ容量のさらなる拡大を可能とすることが可能となる。また、コンテナの外観を簡素化して、コンテナの美観を高めることが可能となる。
【図面の簡単な説明】
【図１】本発明の実施の形態に係るコンテナの側面図である。
【図２】図１に示す本発明の実施の形態に係るコンテナの、外側通気孔の周辺部をコンテナ内側から見た状態を（ａ）に、（ａ）のＡ−Ａ線における断面図を（ｂ）に各々示したものである。
【図３】図２（ａ）のＢ−Ｂ線における断面図である。
【図４】図２、図３に示す固定手段の周辺部を拡大して図示したものであり、（ａ）はその平面図、（ｂ）は（ａ）のＣ−Ｃ線における断面図、（ｃ）は（ａ）のＤ−Ｄ線における断面図を示している。
【図５】従来のコンテナの側面図である。
【符号の説明】
２  縦壁
３  蓋
６  コンテナ
７  外側通気孔
８  外板
９  チャンネル部材
１０  箱体
１１  通気路
１２  上側面
１３  内側通気孔
１５  蓋
１６  付勢手段
１７  固定手段
１８  取手
１９  長穴
２０  丸穴
２１  ネジ軸
２２  コイルバネ
２３  ナット
【図１】
2004256156.tif 000003
【図２】
2004256156.tif 000004
【図３】
2004256156.tif 000005
【図４】
2004256156.tif 000006
【図５】
2004256156.tif 000007